(57)【要約】【課題】保護シートにおける化粧料収容部を被覆していた部分を、ケース本体の外方において水平となる位置を超えるまで回動させることが可能で、保護シートを大きく展開させることができるとともに、その展開状態を維持しやすい化粧用コンパクトケースを提供すること。【解決手段】化粧料収容部を有するケース本体２と、蓋体５と、ケース本体２に取り付けられ化粧料が蓋体に付着するのを防止する保護シート６とを具備する化粧用コンパクトケース１であり、保護シート６は、ケース本体２の厚み方向Ｚに沿って配された鉛直部６８と、化粧料収容部３を被覆する本体部分６１とを有し、鉛直部６８より本体部分６１側に、第１ヒンジ部６４及び第２ヒンジ部６５を有している。【選択図】図６
2014233454.tif 000002
【特許請求の範囲】
【請求項１】
化粧料収容部を有するケース本体と、蓋体と、該ケース本体に取り付けられ化粧料が蓋体に付着するのを防止する保護シートとを具備する化粧用コンパクトケースであって、
前記保護シートは、前記ケース本体の厚み方向に沿って配された鉛直部と、前記化粧料収容部を被覆する本体部分とを有し、前記鉛直部より前記本体部分側に、第１ヒンジ部及び第２ヒンジ部を有している、化粧用コンパクトケース。
【請求項２】
前記保護シートにおける前記化粧料収容部を被覆していた本体部分を、前記ケース本体の外方において水平となる位置を超えるまで回動させた状態において、第１ヒンジ部は、前記ケース本体の外周面と前記鉛直部に沿う前記ケース本体の鉛直面との間の中間位置より該鉛直面側に位置し、第２ヒンジ部は、該中間位置より前記外周面側に位置する、請求項１に記載の化粧用コンパクトケース。
【請求項３】
第１ヒンジ部は、前記保護シートを前記鉛直面の位置において屈曲させる、請求項１又は２に記載の化粧用コンパクトケース。
【請求項４】
第２ヒンジ部は、前記保護シートを、前記外周面の位置又はそれより外方において屈曲させる、請求項１〜３の何れか１項に記載の化粧用コンパクトケース。
【請求項５】
第１ヒンジ部と第２ヒンジ部との間の距離が、前記ケース本体の外周面と前記鉛直面との間の距離の５０％以上２００％以下である、請求項１〜４の何れか１項に記載の化粧用コンパクトケース。
【請求項６】
第２ヒンジ部は、前記保護シートを、前記外周面の上端に位置する角部に沿って屈曲させるものである、請求項１〜５の何れか１項記載の化粧用コンパクトケース。
【請求項７】
前記保護シートは、第１ヒンジ部が延びる方向とは異なる方向に延びる切込みを有している請求項１〜６の何れか１項記載の化粧用コンパクトケース。
【請求項８】
前記化粧料収容部は、化粧料が収容された容器を収容する収容部であり、前記保護シートの鉛直部が、該化粧料収容部の内壁面に沿って配されている、請求項１〜７の何れか１項記載の化粧用コンパクトケース。
【発明の詳細な説明】
【技術分野】
【０００１】
本発明は、化粧用コンパクトケースに関する。
【背景技術】
【０００２】
ファンデーション、チーク、アイシャドウ等の化粧料を収容する化粧用コンパクトケースとして、化粧料を収容する化粧料収容部を有するケース本体と、該ケース本体に開閉可能に取り付けられる蓋体とを備え、化粧料が蓋体、特に蓋体の裏面に設けられた鏡に付着することを防止するために、化粧料収容部と蓋体との間に保護シートが配置されたものが知られている（特許文献１参照）。このような化粧用コンパクトケースのケース本体には、化粧料の塗布具を収容する塗布具収容部が形成されることも多い。
【０００３】
保護シートの配置は、化粧料と蓋体との間に個別の保護シートを配置する場合や、保護シートの紛失や落下を防止するため保護シートを化粧用コンパクトケース内に固定している場合がある。保護シートを固定している化粧用コンパクトケースにおいては、化粧料収容部を覆っていた保護シートを開き、化粧料収容部に収容されていた化粧料を、例えば、塗布具収容部から取り出した塗布具に付着させて肌面等に塗布する。
【先行技術文献】
【特許文献】
【０００４】
【特許文献１】特開２００４−２５５０６１号公報
【発明の概要】
【発明が解決しようとする課題】
【０００５】
しかし、従来の保護シートは、開いた際に、開いた状態で安定せず、化粧料を塗布する際に使いにくいことがあった。また、保護シートを大きく開く際には、コンパクトを把持した手で保護シートを押さえつける等していたが、保護シートを、１８０度以上回動させて展開させた場合には、ケース本体の外周部に当接したシートに応力がかかり、プラスティック製の保護シートがヒンジ部以外の箇所で部分的に白化したり、白化しない場合においても、保護シートの耐久性の問題があった。
【０００６】
したがって本発明の課題は、前述した従来技術が有する欠点を解消し得る、化粧用コンパクトケースを提供することにある。
【課題を解決するための手段】
【０００７】
本発明は、化粧料収容部を有するケース本体と、蓋体と、該ケース本体に取り付けられ化粧料が蓋体に付着するのを防止する保護シートとを具備する化粧用コンパクトケースであって、前記保護シートは、前記ケース本体の厚み方向に沿って配された鉛直部と、前記化粧料収容部を被覆する本体部分とを有し、前記鉛直部より前記本体部分側に、第１ヒンジ部及び第２ヒンジ部を有している、化粧用コンパクトケースを提供するものである。
【発明の効果】
【０００８】
本発明の化粧用コンパクトケースによれば、保護シートにおける化粧料収容部を被覆していた部分を、ケース本体の外方において水平となる位置を超えるまで回動させることが可能で、保護シートを大きく展開させることができるとともに、その展開状態を維持しやすい。
【図面の簡単な説明】
【０００９】
【図１】本発明の一実施形態に係る化粧用コンパクトケースの、保護シートを取り付ける前の状態を示す斜視図である。
【図２】図１に示す化粧用コンパクトケースの、保護シートを取り付けた後の状態を示す斜視図である。
【図３】図１に示す化粧用コンパクトケースに用いた保護シートを、折り返された部分を延ばした状態として示す平面図である。
【図４】図３に示す保護シートを、先端部を折り返した状態として、シート挿入孔に挿入する様子を示す平面図である。
【図５】図５（ａ）及び図５（ｂ）は、図２のＩＩ−ＩＩ線に沿う断面の部分拡大図であり、図５（ａ）は、閉蓋時に保護シートにより化粧料収容部が覆われた状態を示す図、図５（ｂ）は、保護シートを展開して、保護シートをケース本体の外方に配置した状態を示す図である。
【図６】図６は、図５（ｂ）の一部拡大図である。
【図７】本発明に係る保護シートの他の例を示す図である。
【図８】本発明に係る保護シートの更に他の例を示す図である。
【図９】図２に示す化粧用コンパクトケースの、一対のシート挿通孔を通る位置における、ケース本体の幅方向に沿う断面を示す拡大断面図である。
【図１０】本発明の他の実施形態を示す図である。
【図１１】本発明の更に他の実施形態を示す斜視図である。
【発明を実施するための形態】
【００１０】
以下本発明をその好ましい実施形態に基づき図面を参照しながら説明する。
本発明の一実施形態である化粧用コンパクトケース１は、図１及び図２に示すように、化粧料レフィル３１を収容する化粧料収容部３を有するケース本体２と、蓋体５と、ケース本体２に取り付けられ化粧料が蓋体５に付着するのを防止する保護シート６とを具備する。ケース本体２は、更に化粧料の塗布具４１を収容する塗布具収容部４を有する。
化粧料レフィル３１は、例えばファンデーションである化粧料３２が、上面が開口した深さの浅い薄型の容器３３に収容されたものであり、化粧料収容部３に収容して該化粧料収容部３内に固定された状態として使用される。化粧料レフィル３１の外周部には、化粧料収容部３内に固定するための係合凹部３４が設けられており、係合凹部３４が、化粧料収容部３の内周面の対応する位置に設けられた係合突起３５，３６と係合することによって、化粧料収容部３内に収容された状態が安定に維持される。
化粧料の塗布具４１は、化粧料の種類に応じて適切なものが用いられ、化粧料が、ファンデーションである場合には、図１に示すような、パフと呼ばれるスポンジ状の塗布具が好ましく用いられる。塗布具収容部４は、塗布具４１を収容可能な大きさの凹部として形成されている。蓋体５は、蝶番部５２を介してケース本体２に対して回動自在に連結されており、ケース本体２の上面を開閉自在である。蓋体５は、閉蓋時に、塗布具収容部４側を向く内面に鏡５１が設けられている。
【００１１】
化粧用コンパクトケース１を用いて化粧を行うには、蓋体５を開いて、保護シート６を化粧料３２上から離間するべく開くとともに、塗布具収容部４から塗布具４１を取り出し、該塗布具４１で、化粧料レフィル３１内の化粧料３２を擦り取り、擦り取った化粧料を、蓋体５に設けられた鏡５１を見ながら、肌面に塗布する。化粧料レフィル３１内の化粧料３２を使い切った場合には、化粧料レフィル３１ごと取り出し、新しい化粧料レフィルに交換する。
【００１２】
保護シート６は、図３に示すように、蓋体５の閉蓋時に化粧料レフィル３１の上面（化粧料収容部３の上方の開口部）を覆う本体部分６１と、本体部分６１から突出する一対の取り付け片６２，６２とを有している。また、保護シート６は、本体部分６１から突出する操作用突出部６１ａを、取り付け片６２，６２とは逆の位置に有している。
取り付け片６２は、保護シート６を、ケース本体２に取り付けるための部分であり、保護シート６は、図４に示すように、取り付け片６２における第１ヒンジ６４よりも先端縁６６側に位置する部分を、ケース本体２に設けられた一対のシート挿入孔７，７に挿入することによって、該ケース本体２に、容易には外れないように固定されている。
なお、本発明において、保護シートを「ケース本体に取り付ける」とは、保護シートをケース本体に固定する形態や、保護シートを化粧料レフィル等の化粧料を収容した容器と化粧料収容部の底部との間に挟んで固定する形態等だけでなく、例えば、保護シートを化粧料を収容した容器に固定することでケース本体に取り付けられ、直接にはケース本体には固定していない形態も包含する。
【００１３】
本実施形態における保護シート６について、より具体的に説明すると、保護シート６は、図３に示すように、取り付け片６２の突出方向の先端側から順に、先端縁６６、折り返し部６３，第１ヒンジ部６４及び第２ヒンジ部６５を有している。取り付け片６２を、先端縁６６と折り返し部６３との間の先端部６７、折り返し部６３と第１ヒンジ部６４との間の中間部６８、及び第１ヒンジ部６４と第２ヒンジ部６５との間の基端部６９に区分すると、ケース本体２に取り付けられた状態の取り付け片６２は、先端部６７が、取り付け片６２の先端縁６６から２〜５ｍｍ程度離れた位置にある折り返し部６３において折り返されており、図５及び図６に示すように、その折り返された先端部６７が、取り付け片６２の折り返された部分となっている。折り返された先端部６７と折り返されていない中間部６８との間は、６０度以下、好ましくは４５度以下の鋭角をなすように屈曲している。折り返された先端部６７は、折り返されていない中間部６８に密着するように折り返されていても良い。
ケース本体２に取り付けられた状態において、第１ヒンジ部６４は、第２ヒンジ部６５よりもケース本体２に取り付けられる側に形成されており、第２ヒンジ部６５は、第１ヒンジ部６４に対して本体部分６１側に形成されている。
【００１４】
本実施形態における第１ヒンジ部６４及び第２ヒンジ部６５は、保護シート６を、ケース本体２の長手方向Ｘにおける化粧料収容部３側の該化粧料収容部より外側に位置する外周部Ｇ付近において、折れ曲がり易くするものであり、図５（ｂ）及び図６に示すように、第１ヒンジ部６４及び第２ヒンジ部６５の存在により、化粧料収容部３を被覆していた本体部分６１を、ケース本体の外方において水平となる位置Ｓ’を超えるまで回動させることが容易となる。
保護シート６の本体部分６１を回動させ、ケース本体２の外方に位置するように展開する方向は、蓋体５の回動軸と平行な方向Ｘである。なお、本実施形態においては、ケース本体２の長手方向Ｘが、蓋体５の回動軸と平行な方向Ｘである。
【００１５】
本実施形態においては、第１ヒンジ部６４及び第２ヒンジ部６５として、保護シート６を構成する合成樹脂製のシートに、ケース本体２の幅方向Ｙに延びる直線状の凹部からなる押し罫（罫線）を形成してある。また、その押し罫（罫線）は、例えば、通常の金属押し刃での冷間押し、または加熱押しによって形成することができる。
押し罫（罫線）は一直線に連続したものでよいが、部分的に押し罫がない部分があってもよい。また、部分的には貫通した箇所が存在してもよい。また、押し罫（罫線）は、保護シートの何れの面に押し刃を押し当てて形成したものであっても良い。
また、第１ヒンジ部６４及び第２ヒンジ部６５は、それぞれ、合成樹脂製のシートに形成したミシン目であっても良いし、合成樹脂製のシートに形成した該シートを貫通しない切れ目等であっても良い。
第１ヒンジ部６４及び第２ヒンジ部６５は、耐久性の観点から、単純に曲げを施したものでなく押し罫であることが好ましい。
【００１６】
本実施形態においては、図４及び図６に示すように、保護シート６の一端部を固定するためのシート挿入孔７，７が、ケース本体２の長手方向Ｘにおける化粧料収容部３側の該化粧料収容部３より外側に位置する部分Ｇに形成されている。また、図５に示すように、保護シート６は、そのシート挿入孔７，７に、該保護シート６に設けられた取り付け片６２，６２における第１ヒンジ６４よりも先端縁６６側に位置する部分が挿入され、該取り付け片６２，６２が、該シート挿入孔７の入り口より幅が拡大した空間７１内に、折り返された部分６７を有することによって、ケース本体２に固定されている。
この折り返された部分６７は、取り付け片６２における先端縁６６から折り返し部６３までの範囲の、折り返された先端部６７である。
シート挿入孔７の入り口より幅が拡大した空間７１は、ケース本体２の長手方向Ｘにおける寸法Ｗ２が、同方向Ｘにおける入り口の寸法Ｗ１よりも大きい空間７１であり、このような空間内に、取り付け片６２の折り返された部分６７が存在することにより、取り付け片６２を引き抜く力が加わったときに、該折り返された部分６７、好ましくはその先端縁６６が、シート挿入孔７の入り口付近に生じた段差部や出っ張り７２に当接して、取り付け片６２が引き抜かれることが阻止される。また、出っ張り７２には、図６に示すように、突起７２ａを形成することにより、取り付け片６２が引き抜かれることが一層防止することができる。
【００１７】
本実施形態においては、シート挿入孔７に挿入され、該シート挿入孔７内の鉛直面７５に沿って配されている前記中間部６８が、保護シート６における、ケース本体２の厚み方向Ｚに沿って配された鉛直部６８となっている。本実施形態においては、シート挿入孔７内の鉛直面７５が、「ケース本体の鉛直面」である。保護シート６の鉛直部６８は、それ自体が、ケース本体２に融着、接着等により直接固着されていても良いが、本実施形態におけるように、鉛直部６８の先に設けられた折り返された部分６７が、ケース本体２に係合することによって、ケース本体２から抜けないように固定されているものであっても良い。
【００１８】
そして、本実施形態においては、図５（ｂ）及び図６に示すように、保護シート６における、化粧料収容部３の上方の開口部を被覆していた本体部分６１を、該ケース本体２の外方において水平となる位置Ｓ’を超えるまで回動させた状態において、第１ヒンジ部６４は、ケース本体２の外周面２２と、鉛直部６８に沿う鉛直面７５との間の中間位置Ｃより鉛直面側Ｃｉに位置し、第２ヒンジ部６５は、該中間位置Ｃより外周面側Ｃｏに位置している。
ここでいう「化粧料収容部を被覆していた本体部分を、該ケース本体の外方において水平となる位置を超えるまで回動させた状態」は、好ましくは、図５（ｂ）に示すように、ケース本体の外方に位置させた保護シートの先端部を、化粧料コンパクトケースを載置した水平面Ｓに接触させた状態である。
【００１９】
保護シート６が、鉛直部６８より本体部分６１側に、第１ヒンジ部６４及び第２ヒンジ部６５という複数のヒンジ部を有することで、折れ曲がり性の自由度が向上し、本体部分６１を、図５（ａ）に示す右向きに延びた状態から１８０度以上回動させて、該本体部分６１を、ケース本体２の外方において水平となる位置Ｓ'を超える位置まで展開させることが容易となり、その展開状態も維持されやすい。鉛直部６８より本体部分６１側という表現には、ヒンジ部が鉛直部６８と本体部分６１との間にある場合の他、ヒンジ部が本体部分６１内に存在する場合も含まれる。
本体部分６１を水平となる位置Ｓ'を超える位置まで展開でき、その状態に保持できると、化粧料を、塗布具４１で掻き取りないし拭き取りする操作の作業性が向上する。
【００２０】
また、第１ヒンジ６４及び第２ヒンジ６５を形成することで、保護シート６が、ヒンジ部以外で折れ曲がりにくくなり、合成樹脂製である場合に生じやすいシートの白化も効果的に防止することもできる。また、ポリエチレンテレフタレートやポリプロピレン等の合成樹脂からなるシートは、繰り返し折り曲げられると切れやすくなるが、保護シート６に２つのヒンジ部６４，６５を設けることによって、各ヒンジに加わる折り応力が分散して低下し、各ヒンジ部分でのシートの破断も生じにくくなる。なお、本実施形態における第１ヒンジ部６４と第２ヒンジ部６５は、何れも、シート挿入孔７の入り口より外に形成されているが、該入り口からの距離は相互に異なっている。
【００２１】
しかも、本実施形態においては、第１ヒンジ６４及び第２ヒンジ６５を、前記中間位置Ｃの内外側に形成してあるため、本体部分６１を、ケース本体２の外方において水平となる位置Ｓ'を超える位置まで展開させることが一層容易となり、その展開状態も一層安定に維持される。また、保護シート６の白化を一層効果的に防止することもできる。
なお、本実施形態においては、図５（ｂ）に示すように、ケース本体２の外周部に形成された化粧料、特に粉体の漏出防止のために設けた外周壁２１の外側において、該外周壁２１よりも低い位置まで下降するように傾斜した状態とすることも可能である。
【００２２】
第１ヒンジ部６４は、保護シート６を、鉛直面７５の位置において屈曲させ、第２ヒンジ部６５は、保護シート６を、ケース本体１１の外周面２２の位置又はそれより外方において屈曲させることが、保護シートを水平以上に開きやすく、開いたときにヒンジ部以外に応力がかかりにくい点から好ましい。なお、ここでいう、鉛直面７５及び外周面２２の位置は、保護シート６を展開させる方向における位置であり、本実施形態においては、ケース本体の長手方向Ｘ（蓋体５の回動軸と平行な方向）における位置である。従って、鉛直面７５及び外周面２２の位置には、鉛直面７５及び外周面２２をそれぞれの面方向に延長させた部分も含む。「鉛直面の位置」には、Ｘ方向における該鉛直面からの離間距離が３ｍｍ以内（好ましくは２ｍｍ以内）の範囲も含まれる。また、「外周面の位置」には、Ｘ方向における該外周面からの離間距離が３ｍｍ以内（好ましくは２ｍｍ以内）の範囲も含まれる。
第２ヒンジ部６５を、ケース本体１１の外周面２２の位置より外方に位置させる場合を含めて、外周面２２から第２ヒンジ部６５までの距離は、好ましくは１２ｍｍ以下、より好ましくは８ｍｍ以下である。
【００２３】
また、第１ヒンジ部６４と第２ヒンジ部６５との間の距離ｄ２は、ケース本体の外周面２２と前記鉛直面７５との間の距離ｄの、好ましくは５０％以上、より好ましくは８０％以上であり、特に好ましくは１００％以上であり、また、好ましくは２００％以下、より好ましくは１８０％以下であり、特に１５０％以下であり、また、好ましくは５０％以上２００％以下、より好ましくは８０％以上１８０％以下であり、特に好ましくは１００％以上１５０％以下である。
また、本実施形態における第２ヒンジ部６５は、保護シート６を、外周面２２の上端に位置する角部２３に沿って屈曲させるものである。これにより、シートを水平以上に開くことが一層容易であり、一層使い勝手が良い。
【００２４】
保護シート６にヒンジ部を設ける場合、そのヒンジ部は、例えば、図７（ａ）〜図７（ｃ）に示すヒンジ部６４のように、ヒンジ部６４によって形成される折線６４Ａが延びる方向である折線方向（ヒンジ部６４が延びる方向）とは異なる方向に延びる切り込み８１を有することが好ましい。また、切り込みは、図７（ａ）〜図７（ｃ）に示す切り込み８１のように、平面視して線状のものであっても良いし、図８（ａ）〜図８（ｃ）に示すように、三角形状等の非線状のものであっても良い。なお、図８（ａ）に示す切り込み８１のように、先端が鋭角な三角形状であっても良いし、図８（ｂ）や図８（ｃ）に示す切り込み８１のように、加工の際の刃の耐久性を考慮して、先端を丸めた三角形状等であっても良い。
【００２５】
保護シートの長期間の使用によりヒンジ部が弱くなると、該ヒンジ部が切れやすくなる恐れがあるが、ヒンジ部の折線に沿って進行する切れを、折線から離す方向に導くことで、その切れの進行を阻止することができる。これにより、保護シートの一層長期に亘る使用が可能となる。
また、保護シート６に複数のヒンジ部を設ける場合、その総てのヒンジ部に、上記の切り込み８１等を設けてもよいし、複数のヒンジ部のうちの一部のヒンジ部のみに、切り込み８１を設けても良い。また、上記の切り込み８１は、取り付け片６２における、ケース本体の幅方向Ｙの外方側の縁部６２ｓ又はその近傍に設けることが好ましい。例えば、上述した切り込み８１は、取り付け片６２の外方側の縁部６２ｓに始端を有することが好ましく、上述した切り込み８１は、取り付け片６２の外方側の縁部からの距離が、好ましくは４ｍｍ以下であり、更に好ましくは３ｍｍ以下であり、また、好ましくは０．５ｍｍ以上、更に好ましくは１ｍｍ以上である。
【００２６】
本実施形態の化粧用コンパクトケース１においては、図１及び図５に示すように、化粧料収容部３の内周面に、化粧料レフィル３１の係合凹部３４と係合する２種類の係合突起３５，３６が形成されている。
２種類の係合突起３５，３６のうちの一方は、シート挿入孔７側に空間７１を形成して前後に変位可能とした可撓片３７に設けられた係合突起３５であり、他方は、化粧料収容部３の内周面に変位不能に形成された係合突起３６である。
そして、前述した保護シート６の取り付け片６２は、図５に示すように、係合突起３５が設けられた可撓片３７の外側の空間７１内に、前述した折り返された部分（先端部）６７を有している。
【００２７】
本実施形態の化粧用コンパクトケース１においては、図９に示すように、一対の取り付け片６２，６２のそれぞれにおける前記折り返された部分（先端部）６７の一部６７ａが、折り返されていない部分６８の一側縁６８ａから突出して、該取り付け片６２の片側に、ケース本体２の幅方向Ｙに向かって張り出すアンカー部６７ａが形成されている。
これらのアンカー部６７ａが、図９に示すように、ケース本体２に形成された被係合部７３に係合することによって、保護シート６の抜けが一層確実に防止される。
本実施形態における、空間７１は、ケース本体２の幅方向Ｙに沿って延びる細幅の空間であり、一方のシート挿入孔７の下方から他方のシート挿入孔７の下方に亘って連続している。本実施形態においては、アンカー部６７ａが係合する被係合部７３は、ケース本体２の上面と該空間７１との間を仕切る板状の天井部における、一対のシート挿入孔７，７間に位置する部分である。
なお、本実施形態における取り付け片６２は、図３に示すように、取り付け片６２の突出方向において折り返し部６３より先端側に位置する先端部６７の該突出方向と交差する方向の端部が中間部６８の一側縁から同交差方向に突出しており、それにより、図４及び図５に示すように、先端部６７を折り返し部６３で折り曲げた際に先端部６７の一部が中間部６８の前記一側縁から突出してアンカー部６７ａを形成する。
【００２８】
アンカー部６７ａは、取り付け片６２のシート挿入孔７からの抜け防止の観点のみから考えれば、取り付け片６２の両側に形成されていることが好ましいが、本実施形態におけるように、取り付け片６２の片側のみに形成されていることが、図４に示すように、先端部６７を折り返した状態の取り付け片６２を、シート挿入孔７に挿入することが容易であるため好ましい。
【００２９】
また、取り付け片６２は、図４及び図９に示すように、アンカー部６７ａとは反対側の角部６２ａが、円弧状又はテーパー状に加工（カット）されていることが好ましい。角部６２ａは、取り付け片６２の折り返し部６３のアンカー部６７ａとは反対側の端に生じる角部であり、折り返されていない部分（中間部）６８に形成されている。
アンカー部６７ａとは反対側が円弧状又はテーパー状に加工されていると、先端部６７を折り返してアンカー部６７ａを生じさせた状態の取り付け片６２を、シート挿入孔７に挿入することが容易となる。テーパー状は、取り付け片６２の先端側（折り返し部６３側）に向かうに連れて、アンカー部６７ａが突出する側に近づくように傾斜した形状である。
【００３０】
アンカー部６７ａが、折り返されていない部分（中間部）６８の側縁から突出する長さ（ケース本体２の幅方向Ｙに沿う長さ）Ｌ３は、保護シート６の取り付け片６２の抜け防止の観点から、好ましくは１．５ｍｍ以上、更に好ましくは２ｍｍ以上であり、また、シート挿入孔７への挿入を容易とする観点から、好ましくは５ｍｍ以下、更に好ましくは４ｍｍ以下である。
また、アンカー部６７ａとは反対側の角部６２ａの円弧状又はテーパー状にカットされた部分の、ケース本体２の幅方向Ｙに沿う長さＬ４は、前記アンカー部６７ａの前記長さＬ３に対する割合が、好ましくは３０％以上、更に好ましくは７０％以上であり、また、好ましくは１５０％以下、更に好ましくは１１０％以下である。
アンカー部６７ａとは反対側の角部６２ａが円弧状又はテーパー状に加工されている態様には、円弧状にカットされている場合、テーパー状にカットされている場合、円弧とテーパー状とを繋げた形状にカットされている場合の何れもが含まれる。換言すれば、シート挿入孔７に挿入することが容易となる形態を満たせばよい。
【００３１】
本実施形態における保護シート６は、図４に示すように、一対の取り付け片６２，６２のそれぞれにおける、互いに向かい合う内方側にアンカー部６７ａが形成されている。本発明においては、一対の取り付け片６２，６２のそれぞれにおける、互いに逆方向に向かう外方側にアンカー部６７ａを形成しても良い。
【００３２】
また、本実施形態の化粧用コンパクトケース１は、前述のように、シート挿入孔７に、保護シートに設けた取り付け片６２が挿入され、該取り付け片６２が、シート挿入孔７の入り口より奥の空間７１内に折り返された部分６７を有するため、取り付け片６２が、シート挿入孔７から抜けにくく、化粧料レフィルの交換を繰り返して長期間使用しても、保護シート６がケース本体２から外れにくい。
また、保護シート６を上述した態様でケース本体２に取り付けてあるため、化粧料の塗布を行うために、保護シート６の開閉を繰り返し行っても、保護シート６の本体部分６１と取り付け片６２との境界部付近に疲労（劣化）が生じにくく、保護シート６を長期間使用しても、保護シート６が根元付近からちぎれて取れてしまうといったことも起こりにくい。
【００３３】
また、蓋体５の閉蓋時に、化粧料収容部３内に収容した化粧料レフィル３１の上面を保護シート６が覆われるようにしたので、化粧料レフィル３１内の粉体等が鏡５１に付着することが防止される。
【００３４】
ケース本体及び蓋体の鏡以外の部分は、例えば、それぞれ合成樹脂の成形品である。蓋体の鏡は、その成形品に接着剤等の公知の手段により固定する。
保護シートを形成するシートは、前述したように、合成樹脂製のシートであることが好ましく、例えば、ポリエチレンテレフタレート、ポリプロピレン、ポリカーボネート等の樹脂からなるものや、これらの樹脂などで複数層に形成したもの等を用いることができる。また、保護シートは、不透明のものであっても良いが、透明であることが好ましい。
【００３５】
保護シートを形成するシートの厚みは、特に制限されず、構成樹脂に応じて適宜の厚みとすることができる。
例えば、構成樹脂が、ポリエチレンテレフタレートやポリプロピレンである場合、保護シートを形成するシートの厚みは、取り付け片に、ある程度の剛性を持たせて、保護シートの抜け防止機能が確実に発現されるようにする観点から、好ましくは０．１ｍｍ以上、更に好ましくは０．２ｍｍ以上であり、また、肌に当たったときの感触や、シートの開閉力を良好とする観点等から、好ましくは０．４ｍｍ以下、更に好ましくは０．３ｍｍ以下である。
【００３６】
以上、本発明をその好ましい実施形態を示して説明したが、本発明は、上記の実施形態に制限されることなく種々変更可能である。
例えば、保護シート６に設ける取り付け片を一つとし、それに対応してケース本体に設けるシート挿入孔も一つのみであっても良い。また、取り付け片６２の先端部６７（取り付け片６２の折り返された部分）の折り返し方向は、図６に示すように、先端部６７が中間部６８よりも内側（化粧料収容部側）に位置するように折り返しても良いが、先端部６７が中間部６８よりも外側に位置するように折り返してもよい。また、保護シート６のヒンジ部は、上記の実施形態のように２本設けることが好ましいが、それに代えて、３本又はそれ以上設けることもできる。例えば、第３ヒンジ部を、第２ヒンジ部６５より本体部分６１側（つまり外側）に設けることができる。また、図６のように、第２ヒンジ部６５が、保護シート６を外周面２２の位置又はそれより外方において屈曲させる形態において、第１ヒンジ部６４と第２ヒンジ部６５の間に、更に第３ヒンジ部を設けることもできる。また、図３に示す保護シート６の操作用突出部６１ａは無くても良い。
【００３７】
また、上述した実施形態においては、第２ヒンジ部６５を、本体部分６１と、そこから突出する一対の取り付け片との境界部に設けたが、第２ヒンジ部６５を、本体部分６１に設けることもできる。
【００３８】
また、上述した実施形態においては、化粧料収容部３から脱着可能な化粧料レフィル３１（交換可能な容器）に代えて、化粧料収容部３に脱着不可能に固定される容器であってもよい。また、化粧料収容部３に直接、化粧料を充填したものでもよい。
【００３９】
また、保護シート６は、特許文献１のように、化粧料レフィル３１と化粧料収容部３の底部との間に挟んで固定することで取り付けられるものであっても良い。その場合、保護シート６は、化粧料収容部３を被覆する本体部分と、化粧料レフィル３１（化粧料を収容した容器）と化粧料収容部３の底部との間に挟まれる部分と、本体部分と挟まれる部分とを連結する連結部を有する。化粧料収容部３の内面に沿って立ち上がる連結部が、保護シートの鉛直部である。
【００４０】
また、図１０（ａ）に示すように、化粧料収容部３は、化粧料を収容した容器３８（化粧料レフィル）を、接着剤や融着等の固定手段３９により脱着不可能に固定する部分であっても良い。
図１０（ａ）に示す実施形態における保護シートとしては、例えば、図１０（ｂ）又は図１０（ｃ）に示す形態のものが挙げられる。
図１０（ｂ）及び図１０（ｃ）に示す保護シート６は、容器３８の下に配される部分６７’を有し、該部分６７’の中央部に、容器３８を、化粧料収容部３の底部に接着剤等の固定手段６９により直接固定するための貫通孔６９が形成されている。保護シート６は、容器３８と化粧料収容部３の底部との間に挟んで固定することで取り付けられる。図１０に示す実施形態においては、化粧料を収容した容器３８を収容する化粧料収容部３の内壁面７５’が、ケース本体２の厚み方向に沿うケース本体２の鉛直面であり、符号６８’で示す部分が、ケース本体２の鉛直面に沿って配される鉛直部である。
【００４１】
図１０に示す実施形態においても、保護シート６の本体部分６１を、ケース本体２の外方において水平となる位置を超えるまで回動させた状態において、第１ヒンジ部６４は、ケース本体の外周面２２と鉛直部に沿うケース本体の鉛直面７５’との間の中間位置より該鉛直面７５’側に位置し、第２ヒンジ部６５は、該中間位置より外周面２２側に位置する。また、上述した実施形態における構成（好ましい構成）は、図１０に示す実施形態にも同様に適用することができる。
【００４２】
また、第１ヒンジ部６４の位置は、化粧料を収容した容器３８の上端部の高さ位置と同じか、それより僅かに上、例えば０ｍｍ超２ｍｍ以下程度上方に位置することが好ましい。また、図１０（ｂ）及び図１０（ｃ）に示す保護シート６においては、鉛直部６８’と、容器３８の下に配される部分６７’との間にも、押し罫等からなるヒンジ部６９’を設けることが好ましい。
図１０に示す実施形態においては、鉛直部６８’と容器３８の下に配される部分６７’とが、図３に示す保護シートの取り付け片６２と同様に、保護シート６をケース本体２に固定する機能を有する。
【００４３】
また、保護シートは、図１０に示す保護シートの符号６８’で示す部分を、ケース本体２に形成した爪等の係止部に固定してケース本体に取り付けるものであっても良い。
また、保護シートを、ケース本体の鉛直面や化粧料収容部３の底部等に、保護シートに直接塗布した固定用の接着剤を介して接合しても良い。
また、化粧料収容部３に入れる化粧料入り容器３８は、化粧料収容部３から脱着可能な化粧料レフィル（交換可能な容器）に代えて、化粧料収容部３に脱着不可能に固定される容器であってもよい。また、保護シート６には、化粧料入り容器３８固定用の貫通孔６９を形成せず、化粧料収容部３の底部に接着剤を塗布して保護シート６を固定し、保護シート上に化粧料入り容器３８固定用の接着剤を塗布してもよい。
【００４４】
また、本発明の化粧用コンパクトケースは、図１１に示すように、蓋体５の開閉方向Ｙの前後に化粧料収容部３と塗布具収容部４とが配置されているものであっても良い。
また、ケース本体は、平面視形状が、正方形や円形等であっても良い。また、本発明の化粧用コンパクトケースは、保護シートが、鏡を有しない蓋体側に開くものや、蓋体側とは反対側の手前に開くもの等であっても良い。
【００４５】
上述した一の実施形態における説明省略部分及び一の実施形態のみが有する要件は、それぞれ他の実施形態に適宜適用することができ、また、各実施形態における要件は、適宜、実施形態間で相互に置換可能である。
【００４６】
前述した本発明の実施形態に関し、更に以下の付記（化粧用コンパクトケース）を開示する。
＜１＞
化粧料収容部を有するケース本体と、蓋体と、該ケース本体に取り付けられ化粧料が蓋体に付着するのを防止する保護シートとを具備する化粧用コンパクトケースであって、
前記保護シートは、前記ケース本体の厚み方向に沿って配された鉛直部と、前記化粧料収容部を被覆する本体部分とを有し、前記鉛直部より前記本体部分側に、第１ヒンジ部及び第２ヒンジ部を有している、化粧用コンパクトケース。
【００４７】
＜２＞
前記保護シートにおける前記化粧料収容部を被覆していた本体部分を、前記ケース本体の外方において水平となる位置を超えるまで回動させた状態において、第１ヒンジ部は、前記ケース本体の外周面と前記鉛直部に沿う前記ケース本体の鉛直面との間の中間位置より該鉛直面側に位置し、第２ヒンジ部は、該中間位置より前記外周面側に位置する、前記＜１＞に記載の化粧用コンパクトケース。
＜３＞
第１ヒンジ部は、前記保護シートを前記鉛直面の位置において屈曲させる、前記＜１＞又は＜２＞に記載の化粧用コンパクトケース。
＜４＞
第２ヒンジ部は、前記保護シートを、前記外周面の位置又はそれより外方において屈曲させる、前記＜１＞〜＜３＞の何れか１に記載の化粧用コンパクトケース。
＜５＞
第１ヒンジ部と第２ヒンジ部との間の距離が、前記ケース本体の外周面と前記鉛直面との間の距離の５０％以上２００％以下である、前記＜１＞〜＜４＞の何れか１に記載の化粧用コンパクトケース。
＜６＞
第１ヒンジ部と第２ヒンジ部との間の距離が、前記ケース本体の外周面と前記鉛直面との間の距離の、好ましくは５０％以上、より好ましくは８０％以上であり、特に好ましくは１００％以上であり、また、好ましくは２００％以下、より好ましくは１８０％以下であり、特に１５０％以下であり、また、好ましくは５０％以上２００％以下、より好ましくは８０％以上１８０％以下であり、特に好ましくは１００％以上１５０％以下である、前記＜１＞〜＜４＞の何れか１に記載の化粧用コンパクトケース。
＜７＞
第２ヒンジ部は、前記保護シートを、前記外周面の上端に位置する角部に沿って屈曲させるものである、前記＜１＞〜＜６＞の何れか１に記載の化粧用コンパクトケース。
＜８＞
前記保護シートは、第１ヒンジ部が延びる方向とは異なる方向に延びる切込みを有している、前記＜１＞〜＜７＞の何れか１に記載の化粧用コンパクトケース。
＜９＞
前記切り込みは、平面視して線状のもの、三角形状の非線状のもの、先端が鋭角な三角形状、又は先端を丸めた三角形状である、前記＜８＞に記載の化粧用コンパクトケース。
＜１０＞
前記切り込みは、前記保護シートの縁部又はその近傍に設ける、前記＜８＞又は＜９＞に記載の化粧用コンパクトケース。
＜１１＞
前記化粧料収容部は、化粧料が収容された容器を収容する収容部であり、前記保護シートの鉛直部が、該化粧料収容部の内壁面に沿って配されている、前記＜１＞〜＜１０＞の何れか１に記載の化粧用コンパクトケース。
【００４８】
＜１２＞
前記ケース本体は、更に化粧料の塗布具を収容する塗布具収容部を有する、前記＜１＞〜＜１１＞の何れか１に記載の化粧用コンパクトケース。
＜１３＞
前記保護シートは、前記蓋体の閉蓋時に前記化粧料収容部を被覆する前記本体部分と、該本体部分から突出する一対の取り付け片とを有している、前記＜１＞〜＜１２＞の何れか１に記載の化粧用コンパクトケース。
＜１４＞
前記取り付け片は、突出方向の先端側から順に、先端縁、折り返し部，第１ヒンジ部及び第２ヒンジ部を有し、該取り付け片は、該先端縁と該折り返し部との間の先端部、該折り返し部と該第１ヒンジ部との間の中間部、及び該第１ヒンジ部と該第２ヒンジ部との間の基端部に区分される、前記＜１３＞に記載の化粧用コンパクトケース。
＜１５＞
前記取り付け片は、折り返された前記先端部の一部が、折り返されていない部分の一側縁から突出して、アンカー部が形成されている、前記＜１４＞に記載の化粧用コンパクトケース。
＜１６＞
前記ケース本体は、前記保護シートの一端部を固定するための一対のシート挿入孔を有する、前記＜１＞〜＜１５＞の何れか１に記載の化粧用コンパクトケース。
【００４９】
＜１７＞
前記保護シートは、前記化粧料収容部を被覆する本体部分と、化粧料を収容した容器と該化粧料収容部の底部との間に挟まれる部分と、該本体部分と挟まれる部分とを連結する連結部とを有する、前記＜１＞〜＜１２＞の何れか１に記載の化粧用コンパクトケース。
＜１８＞
前記保護シートは、化粧料を収容した容器と前記化粧料収容部の底部との間に挟んで固定することで取り付けられる、前記＜１７＞に記載の化粧用コンパクトケース。
【００５０】
＜１９＞
前記ケース本体に取り付けられた状態において、前記第１ヒンジ部は、前記第２ヒンジ部よりも前記ケース本体に取り付けられる側に形成されており、前記第２ヒンジ部は、前記第１ヒンジ部に対して前記本体部分側に形成されている、前記＜１＞〜＜１８＞の何れか１に記載の化粧用コンパクトケース。
＜２０＞
前記第１ヒンジ部及び前記第２ヒンジ部は、前記保護シートを構成する合成樹脂製のシートに、押し罫、ミシン目又は該シートを貫通しない切れ目で形成される、前記＜１＞〜＜１９＞の何れか１に記載の化粧用コンパクトケース。
＜２１＞
第３ヒンジ部を、前記第２ヒンジ部より前記本体部分側、又は前記第１ヒンジ部と前記第２ヒンジ部の間に設ける、前記＜１＞〜＜２０＞の何れか１に記載の化粧用コンパクトケース。
＜２２＞
前記保護シートを形成するシートは、ポリエチレンテレフタレート、ポリプロピレン、又はポリカーボネートの合成樹脂製のシートである、前記＜１＞〜＜２１＞の何れか１に記載の化粧用コンパクトケース。
＜２３＞
前記保護シートを形成するシートの厚みは、好ましくは０．１ｍｍ以上、更に好ましくは０．２ｍｍ以上であり、また、好ましくは０．４ｍｍ以下、更に好ましくは０．３ｍｍ以下である、前記＜１＞〜＜２２＞の何れか１に記載の化粧用コンパクトケース。
＜２４＞
前記第２ヒンジ部を、前記本体部分に設ける、前記＜１＞〜＜２３＞の何れか１に記載の化粧用コンパクトケース。
【符号の説明】
【００５１】
１  化粧用コンパクトケース
２  ケース本体
２２  外周面
７５  鉛直面
３  化粧料収容部
４  塗布具収容部
４１  塗布具
５  蓋体
５１  鏡
６  保護シート
６１  本体部分
６２  取り付け片
６４  第１ヒンジ部
６５  第２ヒンジ部
７  シート挿入孔
【図１】
2014233454.tif 000003
【図２】
2014233454.tif 000004
【図３】
2014233454.tif 000005
【図４】
2014233454.tif 000006
【図５】
2014233454.tif 000007
【図６】
2014233454.tif 000008
【図７】
2014233454.tif 000009
【図８】
2014233454.tif 000010
【図９】
2014233454.tif 000011
【図１０】
2014233454.tif 000012
【図１１】
2014233454.tif 000013